(57)【要約】本発明は、容器に関するもので、特に、液体内容物を収容する容器において、前記液体内容物が瓶首部の排出口に向けて容器内において回転しながら排出誘導できるように、上部領域の少なくとも一部または全体に複数の螺旋状のガイドが内表面から内面に突出するように形成されることを特徴とする容器を開示する。
2012511472.tif 000002
【特許請求の範囲】
【請求項１】
液体内容物を収容する容器において、
胴部を含み、
前記液体内容物が瓶首部の排出口に向けて容器内において回転しながら排出誘導できるように、胴部の上部領域の少なくとも一部または全体に複数の螺旋状のガイドが内表面から内面に突出するように形成されることを特徴とする、容器。
【請求項２】
前記胴部の全体に複数の螺旋状のガイドが内表面から内面に突出するように形成されることを特徴とする、請求項１に記載の容器。
【請求項３】
前記複数のガイドは、
各ガイドを幅方向に切断したとき、一つのガイドの形状がＣ字状或いは逆Ｃ字状であり、その長さの一部分において曲率が一定であるか、或いは前方の曲率が比較的緩やかであり、且つ後方の曲率が比較的大きくなるように変化する形状構造であることを特徴とする、請求項１または２に記載の容器。
【請求項４】
前記複数のガイドは螺旋状の４つ或いは８つのラインから構成されることを特徴とする、請求項３に記載の容器。
【請求項５】
前記容器はペーパーボトル、ペット（ＰＥＴ）ボトル、金属ボトル、およびガラスボトルのいずれか一つであることを特徴とする、請求項４に記載の容器。
【請求項６】
前記複数のガイドは、下部領域のラインの幅が上部領域の幅より広くなるように形成されることを特徴とする、請求項５に記載の容器。
【請求項７】
前記複数のガイドは、前記上部領域および前記下部領域の幅が均一となるように形成されることを特徴とする、請求項５に記載の容器。
【発明の詳細な説明】
【技術分野】
【０００１】
本発明は、液体内容物を収容する容器に係り、さらに詳しくは、貯留された液体内容物が螺旋状の複数のガイドに沿って自然に排出口に向けて安定的に排出されることを可能にする形状構造を持つ容器に関する。
【背景技術】
【０００２】
現在、天然水やコーラなどの飲料水、酒類、液状食料品などを入れる容器として、様々な容器が使われており、例えば、ペーパーボトル、ペット（ＰＥＴ）ボトル、ガラスボトル、金属（アルミニウム缶）ボトルなどがある。
【０００３】
これらの中でも、特にペットボトルは、他の容器に比べてガス透過量が非常に少ないため、内容物が変質することなく長期保存が可能であり、内容物充填状態で落下しても壊れにくく、破損の際にも破片が発生しないうえ、ガラスボトルと比較しては重量が軽く移動および保管が便利であるという利点があるので、広く使われている。
【０００４】
上述したような利点を持つ従来のペットボトルは、一般的に気密維持のために蓋が被嵌されるネジ部および端部の排出口からなる瓶首部と、前記瓶首部から延在し、内容物を貯留する胴部とを含んでなり、胴部は貯留される内容物によって様々な大きさおよびデザインに製作される。
【発明の開示】
【発明が解決しようとする課題】
【０００５】
このような従来のペットボトルから内容物を排出させる場合としては、コップなどの容器に傾けて注ぐ場合や、消費者が直接飲む場合などがある。
【０００６】
この場合、胴部に貯留された内容物が自然に排出されず過度な圧力の強さで急激に吐き出されることがあり、これにより内容物が消費者の服や周囲に飛び出たりする問題を引き起こすことがある。
特に、消費者がボトルから直接飲む場合、むせたり、服や体を汚させる問題を引き起こすこともある。
また、空ペットボトルの場合、その体積が非常に大きくて処理が困難であり、或いは空のペットボトルの体積を減らすための別途の装置を家庭に備えなければならないという問題点もあった。
【課題を解決するための手段】
【０００７】
上記目的を達成するために、本発明によれば、胴部を含み液体内容物を収容する容器において、前記液体内容物が瓶首部の排出口に向けて容器内において回転しながら排出誘導できるように、胴部の上部領域の少なくとも一部または全体に複数の螺旋状のガイドが内表面から内面に突出するように形成されることを特徴とする、容器を提供する。
【０００８】
好ましくは、前記胴部の全体に複数の螺旋状のガイドが内表面から内面に突出するように形成されてもよい。
【０００９】
前記複数のガイドは、各ガイドを幅方向に切断したとき、一つのガイドの形状がＣ字状或いは逆Ｃ字状であり、その長さの一部分において曲率が一定であるか、或いは前方の曲率が比較的緩やかであり、且つ後方の曲率が比較的大きくなるように変化する形状構造であることが好ましい。
【００１０】
好ましくは、前記複数のガイドは、螺旋状の４つまたは８つのラインから構成されることがよい。
【００１１】
好ましくは、ペーパーボトル、ペットボトル、金属ボトルおよびガラスボトルのいずれか一つである。
【００１２】
好ましくは、前記複数のガイドは、下部領域のラインの幅が上部領域の幅より広くなるように形成される。
また、前記複数のガイドは、前記上部領域および下部領域の幅が均一となるように形成されてもよい。
【発明の効果】
【００１３】
上述したように、本発明に係る容器によれば、液体内容物が容器内において自然に回転しながら排出口に向けて安定的に導かれて排出されるように、胴部に複数の螺旋状のガイドが胴部の周囲に巻きつくように形成される。貯留された液体内容物の急激な外部排出が抑制され、これにより安全に注ぐ或いは飲むことができ、急激な排出が発生するのを防止することができるという作用効果がある。
【００１４】
また、本発明は、天然水やコーラ、ジュースなどの飲料水を入れるのに適用され、急激な排出が抑制されることにより、むせるなどの事故が防止できるという作用効果がある。
また、本発明の容器は、ペット（ＰＥＴ）ボトルの場合、消費済みのペットボトルに外力を加えてボトルを捩って複数のガイドが圧着されるようにすることにより、収容、収集を容易にするという作用効果がある。
【図面の簡単な説明】
【００１５】
図１は本発明の好適な一実施例に係る容器を説明するために示す斜視図である。
図２の（ａ）、（ｂ）は図１のＡ−Ａ線に沿った断面図である。
図３は本発明の好適な一実施例に係る容器を説明するために示す他の一例の斜視図である。
図４の（ａ）、（ｂ）は図３のＢ−Ｂ線に沿った断面図である。
図５は本発明の好適な一実施例に係る容器を説明するために示す別の一例の斜視図である。
図６は本発明に係る容器に形成されたガイドの曲率を説明するために示す斜視図、および一部拡大断面図である。
図７は本発明に係る容器がペット（ＰＥＴ）ボトルの場合の廃処理過程を示す参考図である。
【発明を実施するための形態】
【００１６】
以下に添付図面を参照しながら、本発明の好適な実施例を詳細に説明する。まず、各図面の構成要素に参照符号を付するにおいて、同一の構成要素については、他の図面上に表示されても、出来る限り同一の符号を付することに留意すべきであろう。なお、本発明を説明するにあたり、関連した公知の技術に関する具体的な説明が本発明の要旨を無駄に乱すおそれがあると判断される場合、その詳細な説明は省略する。 
本明細書で用いられる用語は、本発明における機能を考慮して定義されたものであって、その定義は当該分野における技術者の意図または慣例などによって異なるので、本明細書全般にわたっての内容に基づいて定められるべきであろう。
【００１７】
図１は本発明の好適な一実施例に係る容器を説明するために示す斜視図、図２の（ａ）、（ｂ）は図１のＡ−Ａ線に沿った断面図、図３は本発明の好適な一実施例に係る容器を説明するために示す他の一例の斜視図、図４の（ａ）、（ｂ）は図３のＢ−Ｂ線に沿った断面図である。
【００１８】
本発明に係る容器は、図１乃至図３に示すように、大きく瓶首部１１０および胴部１２０から構成できる。
【００１９】
ここで、瓶首部１１０は、排出口１１１と、蓋１１３に螺合して締結されるネジ部１１２とを含んでなる。瓶首部１１０は、蓋１１３と気密維持のために締結されるネジ締結方式以外にも、様々な方式が適用できる。気密維持用に適用される様々な方式の一例を挙げると、蓋１１３が瓶首部１１０に対して着脱される方式がある。
【００２０】
胴部１２０は、瓶首部１１０に延在し、液体内容物を貯留する。
【００２１】
このような構成を持つ容器１００は、天然水やコーラなどの飲料水、酒類、食塩水、および液状食料品などを収容することができ、様々な材質から構成できる。
【００２２】
本発明の容器１００は、製造される素材の材質によってペーパーボトル、ペットボトル、金属ボトル、およびガラスボトルのいずれか一つから構成できる。
【００２３】
以下、本発明の好適な一実施例に係る容器がＰＥＴ（ポリエチレンテレフタレート樹脂）ボトルの場合を一例として説明する。
【００２４】
まず、胴部１２０は、図１乃至図３に示すように、液体内容物が瓶首部１１０の排出口１１１に向けて容器１００内において回転しながら容器１００から排出誘導できるように、胴部１２０の長さ方向に中央を基準に上部領域の一部または全体に複数の螺旋状のガイド１２１が内表面から内面に突出するように形成される。
【００２５】
これにより、複数のガイド１２１が形成された胴部１２０の外周面は内面に突出した複数のガイド１２１に沿って凹形が与えられる。
【００２６】
このような複数のガイド１２１が胴部１２０の上部領域に螺旋状に形成されることにより、前記胴部１２０の一部形態が外部からみて波状の形状をする。
【００２７】
複数のガイド１２１は、前記胴部１２０の内面に突出する形状のガイド１２１を垂直に断面処理するとき、一つのガイド形状がＣ字状或いは逆Ｃ字状であり、前記液体内容物が排出される方向を基準として胴部１２０を見るとき、前方の曲率が比較的緩やかであり、後方の曲率が比較的大きい形状に設けられる。
【００２８】
ここで、ガイド１２１は、曲率が一定に保たれるよなに形状としてもよい。
【００２９】
また、上述したように、流れる液体が先に当接する部分の曲率を比較的緩やかにし、流体が後で当接する部分の曲率を大きくしなければならないが、曲率の比較的大きい部分で主に流れを妨害し、曲率の比較的小さい部分で流体の流れをより遅くする。曲率の大きい部分と曲率の小さい部分との境界は、流線形にすれば、流体との摩擦を減らすことができる。
【００３０】
曲率が全体的に一定に保たれるようにしても、上述したような流体の流れの制御には同様の効果を示すことができる。
【００３１】
また、複数のガイド１２１は、螺旋状の４つ或いは８つのラインパターン構造に形成されることが好ましいが、特にこれに限定されるものではない。つまり、８個以外のラインパターン構造に変形して形成されてもよい。
【００３２】
また、複数のガイド１２１は、上部領域のラインの幅がより狭く、下部領域のラインの幅がより広くなるように形成されることが好ましい。
また、複数のガイド１２１は、上部領域に行くほどラインの幅が狭く、下部に行くほどラインの幅が漸次広くなり、中央を基準にその以下からラインの幅が均一となるように形成してもよい。
【００３３】
別の形態として、複数のガイド１２１は、ラインの幅が全て均一となるように形成してもよい。
【００３４】
図１は上述したような構成を持つペットボトル１００であって、螺旋状に形成された複数のガイド１２１のラインの幅が均一に一定の形状を示し、図２の（ａ）、（ｂ）はＰＥＴ瓶の胴部の上部領域の平面図であり、図１のＡ−Ａ線を切断し、裏返して眺めた平面図である。
【００３５】
ここで、図２の（ａ）は複数のガイド１２１の個数が８つの場合であり、図２の（ｂ）は複数のガイド１２１の個数が４つの場合を一例として示している。
【００３６】
図３は螺旋状に形成された複数のガイド１２１のラインの幅が、上部に行くほど狭くなり、中央部に行くほど漸次広くなり、中央部からは均一なラインの幅で形成された形態が適用されたペットボトル１００であり、図４の（ａ）、（ｂ）は図３のＢ−Ｂ線に沿って切断し、ペットボトル１００を裏返して眺めた平面図である。
ここで、図４の（ａ）は複数のガイド１２１の個数が８つの場合であり、図４の（ｂ）は複数のガイド１２１の個数が４つの場合を一例として示している。
図５は本発明の好適な一実施例に係る容器としてのペットボトルを説明するために示す別の一例の斜視図である。
図５に示すように、本発明に係るペットボトル１００は、基本的に、図１〜図４に示す構成と形状構造および作用が類似であるから、同一構成の反復的な説明は省略し、区別される構成についてのみ説明する。
図示の如く、本発明のペットボトル１００は、胴部１２０の全体に複数の螺旋状のガイド１２１が内表面から内面に突出するように形成される。
これにより、胴部１２０の全体形態が外部からみて波状の形状をする。
図６は本発明に係るペットボトル１００に形成されたガイド１２１の曲率を説明するために示す斜視図および一部拡大断面図である。
図示の如く、ペットボトル１００を傾けて液体内容物（たとえば、コーラ）を注ぐ場合、液体内容物が複数のガイド１２１に沿ってペットボトル１００内で回転しながら排出口１１１に向けて均一に排出される。
すなわち、図６に示す如く、ガイド１２１の中心Ｃを基準に液体内容物の進行方向からみて、ガイド１２１の（ｂ）の曲率が（ａ）の曲率より大きくなっている。（ａ）は（ｃ）の後方側である。これは（ａ）の曲率が緩やかな形状であり且つ（ｂ）の曲率が急激に大きい形状であって、液体内容物の急激な吐き出しを抑制させる。
図７は本発明に係るペットボトルの廃処理過程を示す参考図である。
本発明に係るペットボトル１００は、胴部１２０に形成された複数のガイド１２１を捩りながら圧着するものであって、圧着力が加わると、ガイド１２１のＣ字状または逆Ｃ字状の中央部または曲率の大きい箇所と曲率の小さい箇所との境界部が螺旋の長さ方向に沿って折り畳まれて空ペットボトルの体積を減らすことができる。
このようにして、空き瓶の回収を容易にする作用効果を提供する。
以上、実施例を挙げて本発明の容器をさらに詳しく説明したが、本発明は、これらの実施例に限定されるものではなく、本発明の技術思想を逸脱しない範囲内で様々に変形実施できる。本発明の保護範囲は請求の範囲によって定められるべきであり、それと同等の範囲内にある全ての技術思想は本発明の権利範囲に含まれるものと解釈すべきであろう。
【符号の説明】
【００３７】
１００：容器（ペットボトル）
１１０：瓶首部
１１１：排出口
１１２：ネジ部
１１３：蓋
１２０：胴部
１２１：ガイド
【図１】
2012511472.tif 000003
【図２（ａ）】
2012511472.tif 000004
【図２（ｂ）】
2012511472.tif 000005
【図３】
2012511472.tif 000006
【図４（ａ）】
2012511472.tif 000007
【図４（ｂ）】
2012511472.tif 000008
【図５】
2012511472.tif 000009
【図６】
2012511472.tif 000010
【図７】
2012511472.tif 000011
【国際調査報告】
2012511472.tif 000012
2012511472.tif 000013